(57)【要約】【課題】例えば、よりライニングの摩耗が促進しやすい場所でライニングの摩耗を検出することができる等、より不都合の少ない新規な構成の電磁流量計を得る。【解決手段】実施形態の電磁流量計は、例えば、管と、フランジと、ライニングと、少なくとも一つの摩耗検出電極と、を備える。管には、被測定流体が流れる。フランジは、管の軸方向の両端部に設けられ、管から当該管の径方向の外側に突出する。ライニングは、管の内面を覆う第一の部分と、フランジの端面を覆う第二の部分と、内面と端面との間を覆うとともに第一の部分および第二の部分と繋がった第三の部分と、を有する。摩耗検出電極は、ライニングの内部に埋まった状態に設けられ、ライニングの摩耗に応じて摩耗したライニングの内面から流路内に露出するよう構成され、摩耗検出電極の少なくとも一部が、第三の部分の内部に設けられる。【選択図】図２
2018036173.tif 000002
【特許請求の範囲】
【請求項１】
被測定流体が流れる管と、
前記管の軸方向の両端部に設けられ、前記管から当該管の径方向の外側に突出したフランジと、
前記管の内面を覆う第一の部分と、前記フランジの端面を覆う第二の部分と、前記内面と前記端面との間を覆うとともに前記第一の部分および前記第二の部分と繋がった第三の部分と、を有したライニングと、
前記ライニングの内部に埋まった状態に設けられ、前記ライニングの摩耗に応じて摩耗した前記ライニングの内面から流路内に露出する少なくとも一つの摩耗検出電極と、
を備え、
前記摩耗検出電極の少なくとも一部が、前記第三の部分の内部に設けられた、電磁流量計。
【請求項２】
前記ライニングは、前記管の内周に沿った前記ライニングの全周のうちの一部であって前記摩耗検出電極を中に含まない非検出領域と、前記全周のうちの別の一部であって前記摩耗検出電極を中に含み設置状態で前記非検出領域よりも下方に位置された検出領域と、を有した、請求項１に記載の電磁流量計。
【請求項３】
前記ライニングは、互いに重ねられた複数の被覆層を有し、
前記摩耗検出電極は、二つの前記被覆層の間に設けられた、請求項１または２に記載の電磁流量計。
【請求項４】
前記摩耗検出電極は、メッシュ状に構成された、請求項１〜３のうちいずれか一つに記載の電磁流量計。
【請求項５】
前記摩耗検出電極は、前記フランジが結合対象物に取り付けられた状態で、前記第二の部分から前記流路の外側に露出した第一の端部、を有した、請求項１〜４のうちいずれか一つに記載の電磁流量計。
【請求項６】
前記摩耗検出電極における導通を検出する導通検出部と、
前記導通検出部による検出結果に基づいて前記ライニングの寿命を算出する寿命算出部と、
前記寿命に応じた出力を行うよう出力部を制御する出力制御部と、
を備えた、請求項１〜５のうちいずれか一つに記載の電磁流量計。
【発明の詳細な説明】
【技術分野】
【０００１】
本発明の実施形態は、電磁流量計に関する。
【背景技術】
【０００２】
従来、管と、管の内面を覆ったライニングと、ライニング内に埋まった状態に設けられライニングの摩耗に応じてライニングの内面から流路内に露出するよう構成された摩耗検出電極と、を備えた電磁流量計が、知られている。
【先行技術文献】
【特許文献】
【０００３】
【特許文献１】特開２００６−２５０６９２号公報
【発明の概要】
【発明が解決しようとする課題】
【０００４】
この種の電磁流量計では、例えば、よりライニングの摩耗が促進しやすい場所でライニングの摩耗を検出することができる等、より不都合の少ない新規な構成が得られれば、好ましい。
【課題を解決するための手段】
【０００５】
実施形態の電磁流量計は、例えば、管と、フランジと、ライニングと、少なくとも一つの摩耗検出電極と、を備える。管には、被測定流体が流れる。フランジは、管の軸方向の両端部に設けられ、管から当該管の径方向の外側に突出する。ライニングは、管の内面を覆う第一の部分と、フランジの端面を覆う第二の部分と、内面と端面との間を覆うとともに第一の部分および第二の部分と繋がった第三の部分と、を有する。摩耗検出電極は、ライニングの内部に埋まった状態に設けられ、ライニングの摩耗に応じて摩耗したライニングの内面から流路内に露出するよう構成され、摩耗検出電極の少なくとも一部が、第三の部分の内部に設けられる。
【図面の簡単な説明】
【０００６】
【図１】図１は、第１実施形態の電磁流量計の例示的かつ模式的な斜視図である。
【図２】図２は、図１のII−II断面図である。
【図３】図３は、図２のIII−III断面図である。
【図４】図４は、第１実施形態の電磁流量計の例示的かつ模式的なブロック図である。
【図５】図５は、第１実施形態の電磁流量計のライニングの厚さと使用時間との関係が示された例示的かつ模式的なグラフである。
【図６】図６は、第２実施形態の電磁流量計の例示的かつ模式的な断面図である。
【図７】図７は、図６のVII−VII断面図である。
【図８】図８は、第３実施形態の電磁流量計の例示的かつ模式的な断面図である。
【図９】図９は、第４実施形態の電磁流量計の例示的かつ模式的な断面図である。
【図１０】図１０は、図９のX−X断面図である。
【図１１】図１１は、第４実施形態の電磁流量計の例示的かつ模式的なブロック図である。
【図１２】図１２は、第４実施形態の電磁流量計のライニングの厚さと使用時間との関係が示された例示的かつ模式的なグラフである。
【発明を実施するための形態】
【０００７】
以下、本発明の例示的な実施形態が開示される。以下に示される実施形態の構成、ならびに当該構成によってもたらされる作用および結果（効果）は、一例である。
【０００８】
また、以下に開示される複数の実施形態には、同様の構成要素が含まれる。よって、以下では、それら同様の構成要素には共通の符号が付与されるとともに、重複する説明が省略される。なお、以下の各図では、便宜上、方向が定義されている。Ｘ方向は、測定管４の軸方向に沿い、Ｒ方向は、測定管４の径方向に沿い、Ｃ方向は、測定管４の周方向に沿う。
【０００９】
＜第１実施形態＞
図１に示されるように、電磁流量計１は、例えば、検出器２と、変換器３と、を備えている。検出器２は、導電性の被測定流体が測定管４内を流れた際に発生する起電力を検出する。変換器３は、検出器２によって検出された起電力の検出信号を流量値に変換する。電磁流量計１は、例えば、常時励磁方式（交流励磁方式）の電磁流量計として構成されうる。
【００１０】
図２に示されるように、検出器２は、例えば、管体７と、検出電極８と、コイルユニット９と、を有する。管体７の内部には、被測定流体が流れる流路７ａが設けられている。検出電極８は、流路７ａの内側に露出する状態に設けられ、被測定流体と接触可能である。図３に示されるように、一対の検出電極８を結ぶ線は、管体７（測定管４）の軸心Ａｘと略直交している。コイルユニット９は、流路７ａの外側に設けられ、一対の検出電極８を結ぶ線と軸心Ａｘとに直交する方向に磁界を生成する。
【００１１】
図１に示されるように、変換器３は、例えば、筐体１０と、出力部１２と、制御部３０（図４参照）と、を有する。出力部１２は、例えば、液晶ディスプレイ等であり、表示画面１２ａを有する。出力部１２は、表示画面１２ａが視認可能な状態に、筐体１０に支持されている。また、表示画面１２ａは、例えば、透明なパネル１１等によって覆われ、パネル１１を介して視認される。
【００１２】
また、変換器３は、連結部１３を介して、検出器２に固定されている。図２に示されるように、連結部１３の内部には、変換器３と検出器２とを電気的に接続する配線１４が設けられている。図３にも示されるように、検出電極８によって検出された起電力の検出信号は、配線１４を介して制御部３０へと送られる。また、配線１４には、コイルユニット９の励磁電流が流れる。
【００１３】
電磁流量計１では、対を成すコイルユニット９によって流路７ａ内に磁界が生成され、その磁界と直交する方向に導電性の被測定流体が流れると、磁界と被測定流体とに直交する方向に起電力が発生する。被測定流体によって発生した起電力は、一対の検出電極８によって検出される。一対の検出電極８から起電力の大きさに応じた検出信号が変換器３に送られる。変換器３の制御部３０は、その検出信号から流量を算出し、出力部１２にその流量を表示させる。検出電極８は、起電力検出電極等とも称されうる。
【００１４】
図２に示されるように、管体７は、例えば、測定管４と、フランジ５と、ライニング６と、収容部２０と、を有する。管体７は、被測定流体が流れる別の二つの管体１００の間に連結される。管体１００は、結合対象物の一例である。
【００１５】
測定管４は、管体７の軸心Ａｘを中心とした円筒状に構成されている。測定管４は、外面４ａと、内面４ｂと、を有する。図１，２に示されるように、フランジ５や収容部２０等は、測定管４の外面４ａに設けられ、ライニング６や検出電極８等は、測定管４の内面４ｂに設けられている。測定管４は、例えば、ステンレス鋼等の非磁性の金属材料や、ポリ塩化ビニル等の合成樹脂材料によって構成されうる。測定管４は、管の一例である。
【００１６】
図１に示されるように、フランジ５は、測定管４の外面４ａに沿った円環状かつ板状に構成されている。フランジ５は、例えば、溶接（図２の溶接部Ｗｆ１）によって測定管４に結合されている。フランジ５は、測定管４のＸ方向の両端部４ｃのそれぞれに設けられている。なお、以下の説明において、一対のフランジ５，５を特段区別せずに説明する場合には、それらを単にフランジ５とも称する。
【００１７】
図２に示されるように、フランジ５は、端面５ａを有する。端面５ａは、管体１００のフランジ１００ａと面している。また、図１に示されるように、フランジ５には、当該フランジ５をＸ方向に貫通した複数の孔５ｂが設けられている。孔５ｂには、管体７と管体１００（図２参照）とを結合する不図示の結合具（例えば、ボルト等）が挿入される。フランジ５は、例えば、ステンレス鋼等の非磁性の金属材料や、ポリ塩化ビニル等の合成樹脂材料によって構成されうる。
【００１８】
収容部２０は、例えば、壁部１５と、壁部１６と、を有する。図２にも示されるように、二つの壁部１５は、互いにＸ方向に間隔をあけて設けられ、測定管４の外面４ａからＲ方向に沿ってフランジ状に張り出している。壁部１６は、測定管４の外面４ａに沿った円筒状に構成されている。壁部１６は、二つの壁部１５の間に亘って設けられ、例えば、溶接（図２の溶接部Ｗｆ２）によって壁部１５の測定管４とは反対側の端部に結合されている。また、壁部１５の測定管４側の端部は、例えば、溶接（図２の溶接部Ｗｆ３）によって測定管４の外面４ａに結合されている。
【００１９】
図３に示されるように、収容部２０には、検出電極８の一部や、コイルユニット９、配線１４等が収容されている。壁部１６は、測定管４の外面４ａに沿って、これら検出電極８、コイルユニット９、配線１４等を覆っている。
【００２０】
図２に示されるように、ライニング６は、例えば、筒状部６ａと、フランジ部６ｂと、曲部６ｃと、を有する。なお、フランジ部６ｂおよび曲部６ｃは、フレア部とも称されうる。
【００２１】
筒状部６ａは、測定管４の内面４ｂに沿った円筒状に構成され、測定管４の内面４ｂを覆っている。筒状部６ａの測定管４とは反対側の面６ｅは、流路７ａを構成している。筒状部６ａは、第一の部分の一例であり、面６ｅは、ライニング６の内面の一例である。
【００２２】
フランジ部６ｂは、フランジ５の端面５ａに沿って広がった円環状かつ板状に構成され、フランジ５の端面５ａを覆っている。フランジ部６ｂは、曲部６ｃを介して、筒状部６ａのＸ方向の両端部のそれぞれと接続されている。図１に示されるように、フランジ５は、フランジ部６ｂによって、端面５ａの内縁部から孔５ｂの手前部分までが覆われている。また、フランジ部６ｂは、端面６ｂ１を有する。端面６ｂ１は、フランジ部６ｂのフランジ５とは反対側の面であり、管体１００（図２参照）のフランジ１００ａと面する。フランジ部６ｂは、第二の部分の一例である。
【００２３】
曲部６ｃは、端面５ａの内縁部に沿ったラッパ状に構成されている。図２に示されるように、曲部６ｃは、内面４ｂと端面５ａとの間の溶接部Ｗｆ１を覆うとともに、筒状部６ａおよびフランジ部６ｂと滑らかに繋がっている。本実施形態では、曲部６ｃの溶接部Ｗｆ１とは反対側の面６ｅは、曲面状に構成されている。仮に、曲部６ｃの面６ｅに角部が設けられた場合、被測定流体に含まれる砂や砂利等によって、曲部６ｃが削られやすく、すなわち摩耗しやすくなってしまう虞がある。その点、本実施形態によれば、曲部６ｃの溶接部Ｗｆ１とは反対側の面６ｅが曲面状に構成されているため、曲部６ｃの摩耗が抑制されやすい。曲部６ｃは、第三の部分の一例である。
【００２４】
ライニング６は、測定管４の内面４ｂやフランジ５の端面５ａ等を一体に覆うことで、被測定流体から測定管４を保護している。また、ライニング６は、絶縁体である。ライニング６は、例えば、フッ素樹脂等の合成樹脂材料によって構成されうる。
【００２５】
また、ライニング６は、複数（例えば、二つ）の被覆層６１，６２を有している。被覆層６１，６２は、それぞれ所定の厚さを有したシート状に構成され、互いに重ねられている。本実施形態では、被覆層６１，６２の厚さは、互いに略同じである。被覆層６１は、例えば、接着剤等によって、測定管４の内面４ｂ、溶接部Ｗｆ１、およびフランジ５の端面５ａに結合されている。
【００２６】
また、本実施形態では、被覆層６１と被覆層６２との間に、摩耗検出電極４０が設けられている。摩耗検出電極４０は、例えば、アルミ線や銅線等の金属線によって、メッシュ状かつ所定の厚さを有したシート状に構成されている。図２，３に示されるように、摩耗検出電極４０は、ライニング６の略全域に亘って被覆層６１と被覆層６２との間に挟まれている。すなわち、摩耗検出電極４０は、ライニング６の筒状部６ａの内部、フランジ部６ｂの内部、および曲部６ｃの内部のそれぞれに設けられている。摩耗検出電極４０は、例えば、接着剤等によって、被覆層６１に結合されている。また、被覆層６２は、例えば、接着剤等によって、摩耗検出電極４０および被覆層６１に結合されている。なお、摩耗検出電極４０には、検出電極８が貫通する逃げ穴等が設けられうる。
【００２７】
図２に示されるように、本実施形態では、管体７は、当該管体７よりも大きな口径の管体１００（結合対象物）に連結されている。このような場合、ライニング６のうちＸ方向の両端部に位置される曲部６ｃは、管体１００の流路に臨むこととなる。したがって、曲部６ｃは、被測定流体に含まれる砂や砂利等によってライニング６のうち最も摩耗しやすくなる。ここで、上述したように、本実施形態では、摩耗検出電極４０の少なくとも一部が、曲部６ｃの内部に設けられている。よって、本実施形態によれば、例えば、摩耗検出電極４０によって、ライニング６のうち最も摩耗しやすい曲部６ｃの摩耗を検出することができる。また、シート状の摩耗検出電極４０が曲部６ｃに沿って設けられているため、例えば、突起状の摩耗検出電極４０が曲部６ｃの内部に設けられた場合と比べて、より広い範囲において曲部６ｃの摩耗が検出されうる。また、本実施形態では、Ｘ方向の両側の曲部６ｃの内部に摩耗検出電極４０が設けられているため、例えば、管体７が１８０°反転した姿勢に取り付けられた場合にあっても、同様の摩耗検出性能が得られる。すなわち、本実施形態によれば、管体７の取付姿勢の自由度が高まりやすい。
【００２８】
また、図２に示されるように、摩耗検出電極４０は、端部４０ａを有する。端部４０ａは、フランジ部６ｂからＲ方向に沿って延び、フランジ部６ｂのＲ方向外方の端部からライニング６の外側に突出し、さらに、管体７が管体１００に取り付けられた状態で、フランジ５，１００ａよりもＲ方向外方に突出している。このように、端部４０ａは、フランジ５，１００ａよりもＲ方向の外側で導通検出部３１（図４参照）の正極リード３１ａと接続可能に構成されている。端部４０ａは、第一の端部の一例である。
【００２９】
また、制御部３０は、例えば、ＣＰＵ（Central  Processing  Unit）等を含んで構成されうる。制御部３０は、ハードウェアとソフトウェア（プログラム）との協働により、図４に示されるような導通検出部３１や、寿命算出部３２、出力制御部３３等として機能（動作）することができる。制御部３０は、例えば、ＲＯＭやフラッシュメモリ等の記憶部にインストールされたプログラムを読み出して、当該プログラムにしたがって処理を実行する。なお、制御部３０は、ＰＬＤ（Programmable  Logic  Device）や、ＡＳＩＣ（Application  Specific  Integrated  Circuit）等を含んでもよい。
【００３０】
電磁流量計１は、例えば、導通検出部３１の正極リード３１ａと端部４０ａ（図２参照）とが電気的に接続され、導通検出部３１の負極リード３１ｂとグラウンドとしてのフランジ５（図２参照）とが電気的に接続された状態で、使用される。図２，３に示されるライニング６の被覆層６２が摩耗し、ライニング６の面６ｅ（内面）から流路７ａ内に摩耗検出電極４０が露出して被測定流体と接触すると、被測定流体、摩耗検出電極４０、端部４０ａ、正極リード３１ａ、導通検出部３１、負極リード３１ｂ、およびフランジ５に至る電気回路が形成される。制御部３０は、導通検出部３１として機能し、端部４０ａとフランジ５（グラウンド）との導通を検出することができる。なお、導通検出部３１は、例えば、テスター等の所謂外付け装置であってもよい。また、導通検出部３１の負極リード３１ｂが流路７ａ内で被測定流体と接触する状態に設けられ、電圧が印加される構成であってもよい。
【００３１】
また、制御部３０は、導通検出部３１が端部４０ａとフランジ５（グラウンド）との導通を検出した場合に、寿命算出部３２として機能し、導通検出部３１による検出結果に基づいてライニング６の寿命を算出することができる。図５に示されるように、寿命算出部３２は、例えば、次の式（１）
ｔｅ＝ｔｄ・Ｔｅ／Ｔｄ      ・・・（１）
によって、ライニング６の寿命を算出することができる。ここに、ｔｅは、ライニング６の寿命（使用可能時間、使用限界時間）、ｔｄは、電磁流量計１の使用開始（通流開始）から導通検出部３１において導通が検出されるまでに経過した時間、Ｔｅは、ライニング６の厚さ、すなわち被覆層６１および被覆層６２の厚さの合計、Ｔｄは、ライニング６のうち被覆層６２の厚さである。なお、式（１）は一例であって、例えば、適宜、ｔｅが安全率で除算されたり、摩耗速度（傾き）の経時変化が非線形であったり、被測定流体の変化に応じた摩耗速度が与えられたりしてもよい。
【００３２】
また、制御部３０は、出力制御部３３として機能し、導通検出部３１による導通の検出結果や、寿命算出部３２による寿命の算出結果に応じた出力を行うよう、出力部１２を制御することができる。出力部１２による出力内容は、例えば、摩耗検出電極４０が流路７ａ内に露出したことを知らせる警告表示や、寿命までの残りの使用可能時間等である。出力部１２は、表示出力部の一例である。なお、出力部１２は、例えば、表示出力部の別の例としてのランプやＬＥＤ（Light  Emitting  Diode）等であってもよいし、例えば、スピーカやブザー等の音声出力部であってもよい。
【００３３】
以上のように、本実施形態では、例えば、摩耗検出電極４０の少なくとも一部が、曲部６ｃ（第三の部分）の内部に設けられている。よって、本実施形態によれば、例えば、摩耗検出電極４０によって、ライニング６のうち最も摩耗しやすいＸ方向の端部、すなわち曲部６ｃの摩耗を、検出することができる。
【００３４】
また、本実施形態では、例えば、ライニング６は、互いに重ねられた複数の被覆層６１，６２を有し、摩耗検出電極４０は、二つの被覆層６１，６２の間に設けられている。よって、本実施形態によれば、例えば、測定管４の内面４ｂが、摩耗検出電極４０が埋まった状態で設けられたライニング６によって覆われた構成を、比較的容易に得ることができる。また、被覆層６２の厚さにより、ライニング６の面６ｅ（内面）から摩耗検出電極４０までの間のライニング６の厚さ、すなわち、使用開始から導通検出部３１によって導通が検出されるまでの時間を設定することができる。また、被覆層６１の厚さにより、導通検出部３１によって導通が検出されてから寿命までの時間を設定することができる。
【００３５】
また、本実施形態では、例えば、摩耗検出電極４０は、メッシュ状に構成されている。よって、本実施形態によれば、例えば、軽量でありかつ安価な摩耗検出電極４０によって、比較的広い範囲においてライニング６の摩耗を検出することができる。
【００３６】
また、本実施形態では、例えば、摩耗検出電極４０は、フランジ５が管体１００（結合対象物）に取り付けられた状態で、フランジ部６ｂ（第二の部分）から流路７ａの外側に露出した端部４０ａ（第一の端部）を有している。よって、本実施形態によれば、例えば、摩耗検出電極４０の導通を検出する回路を、比較的容易に構成することができる。
【００３７】
また、本実施形態では、例えば、電磁流量計１は、摩耗検出電極４０における導通を検出する導通検出部３１と、導通検出部３１による検出結果に基づいてライニング６の寿命を算出する寿命算出部３２と、寿命に応じた出力を行うよう出力部１２を制御する出力制御部３３と、を備える。よって、本実施形態によれば、例えば、導通検出部３１、寿命算出部３２、および出力制御部３３によって、ライニング６の寿命を予測可能な電磁流量計１を得ることができる。
【００３８】
＜第２実施形態＞
図６，７に示される実施形態の電磁流量計１Ａは、上記第１実施形態の電磁流量計１と同様の構成を備えている。よって、本実施形態によっても、上記第１実施形態と同様の構成に基づく同様の結果（効果）が得られる。
【００３９】
ただし、本実施形態では、例えば、図６，７に示されるように、摩耗検出電極４０Ａがライニング６の全周のうちの一部に設けられている点が、上記第１実施形態と相違している。被測定流体に含まれる砂や砂利等は、自重によって沈むため、設置状態で測定管４の下方側の領域を流れやすくなっている。そこで、本実施形態では、摩耗検出電極４０Ａを、ライニング６の全周のうち下方側の領域にのみ設けている。すなわち、ライニング６は、摩耗検出電極４０Ａを中に含まない非検出領域Ｓ１（図７参照）と、摩耗検出電極４０Ａを中に含んだ検出領域Ｓ２（図７参照）と、を有している。本実施形態では、検出領域Ｓ２は、設置状態で検出電極８よりも下方側の略半円状の領域である。よって、本実施形態によれば、例えば、比較的小さく安価な摩耗検出電極４０Ａによって、より効果的にライニング６の摩耗の検出および寿命の予測を実行することができる。
【００４０】
＜第３実施形態＞
図８に示される実施形態の電磁流量計１Ｂは、上記第１実施形態の電磁流量計１と同様の構成を備えている。よって、本実施形態によっても、上記第１実施形態と同様の構成に基づく同様の結果（効果）が得られる。
【００４１】
ただし、本実施形態では、例えば、図８に示されるように、摩耗検出電極４０Ｂが複数の検出電線４０ｂを有している点が、上記第１実施形態と相違している。複数の検出電線４０ｂは、互いにＣ方向（周方向、図７参照）に離間して設けられ、それぞれがＸ方向に沿って直線状に延びている。また、複数の検出電線４０ｂは、Ｘ方向の両端部で互いに繋がっている。さらに、摩耗検出電極４０Ｂは、上記第２実施形態と同様に、ライニング６の全周のうち下方側の領域にのみ設けられている。よって、本実施形態によれば、例えば、摩耗検出電極４０Ｂの使用量が減りやすく、ひいては電磁流量計１Ｂの製造に要する手間や費用等が減りやすい。なお、本実施形態では、複数の検出電線４０ｂが互いに繋がった場合が例示されたが、これには限定されず、例えば、それぞれが独立してフランジ部６ｂから流路７ａの外側に引き出されてもよい。この場合、導通検出部３１によってそれぞれの検出電線４０ｂの端部４０ａの導通を検出することにより、ライニング６の摩耗が生じた場所を特定しやすくなる。
【００４２】
＜第４実施形態＞
図９〜１２に示される実施形態の電磁流量計１Ｃは、上記第１実施形態の電磁流量計１と同様の構成を備えている。よって、本実施形態によっても、上記第１実施形態と同様の構成に基づく同様の結果（効果）が得られる。
【００４３】
ただし、本実施形態では、例えば、ライニング６が３つの被覆層６１〜６３（図９，１０参照）を有し、被覆層６１と被覆層６２との間および被覆層６２と被覆層６３との間のそれぞれに摩耗検出電極４０が設けられている点が、上記第１実施形態と相違している。図１１に示されるように、本実施形態では、導通検出部３１は、例えば、第一の導通検出部３１Ａと、第二の導通検出部３１Ｂと、を含む。第一の導通検出部３１Ａは、図９，１０に示される被覆層６２と被覆層６３との間の摩耗検出電極４０、すなわち内側（流路７ａ側）の摩耗検出電極４０の導通を検出する。また、第二の導通検出部３１Ｂは、図９，１０に示される被覆層６１と被覆層６２との間の摩耗検出電極４０、すなわち外側（測定管４側）の摩耗検出電極４０の導通を検出する。ライニング６の被覆層６３が摩耗し、流路７ａ内に内側の摩耗検出電極４０が露出して被測定流体と接触すると、被測定流体、内側の摩耗検出電極４０、端部４０ａ、正極リード３１ａ、第一の導通検出部３１Ａ、負極リード３１ｂ、およびフランジ５に至る電気回路が形成される。制御部３０（図１１参照）は、第一の導通検出部３１Ａとして機能し、内側の摩耗検出電極４０とフランジ５（グラウンド）との導通を検出することができる。また、ライニング６の被覆層６２が摩耗し、流路７ａ内に外側の摩耗検出電極４０が露出して被測定流体と接触すると、被測定流体、外側の摩耗検出電極４０、端部４０ａ、正極リード３１ａ、第二の導通検出部３１Ｂ、負極リード３１ｂ、およびフランジ５に至る電気回路が形成される。制御部３０は、第二の導通検出部３１Ｂとして機能し、外側の摩耗検出電極４０とフランジ５（グラウンド）との導通を検出することができる。
【００４４】
また、制御部３０は、例えば、第一の導通検出部３１Ａおよび第二の導通検出部３１Ｂが導通を検出した場合に、寿命算出部３２として機能し、検出結果に基づいてライニング６の寿命を算出することができる。本実施形態では、被覆層６１〜６３の厚さは、互いに略同じである。図１２に示されるように、寿命算出部３２は、例えば、０〜ｔｄ１までに要した時間、およびｔｄ１〜ｔｄ２までに要した時間を基に重回帰分析や回帰分析等によって、ｔｅを算出することができる。ここに、ｔｅは、ライニング６の寿命（使用可能時間、使用限界時間）、ｔｄ１は、電磁流量計１Ｃの使用開始（通流開始）から第一の導通検出部３１Ａにおいて導通が検出されるまでに経過した時間、ｔｄ２は、電磁流量計１Ｃの使用開始から第二の導通検出部３１Ｂにおいて導通が検出されるまでに経過した時間である。また、Ｔｅは、ライニング６の厚さ、すなわち被覆層６１〜６３の厚さの合計、Ｔｄ１は、ライニング６のうち被覆層６３の厚さ、Ｔｄ２は、ライニング６のうち被覆層６２，６３の厚さの合計である。よって、本実施形態によれば、例えば、複数の摩耗検出電極４０によって、ライニング６の寿命の予測がより精度よく行われやすい。なお、摩耗検出電極４０の数は、二つには限定されず、例えば、三つ以上であってもよい。また、三つ以上の被覆層６１〜６３の厚さを、互いに異ならせてもよい。例えば、Ｒ方向の外側に向かうほど被覆層６１〜６３の厚さを薄くしてもよい。
【００４５】
以上、本発明の実施形態を例示したが、上記実施形態はあくまで一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。上記実施形態は、発明の範囲や要旨に含まれるとともに、特許請求の範囲に記載された発明とその均等の範囲に含まれる。本発明は、上記実施形態に開示される構成以外によっても実現可能であるとともに、基本的な構成（技術的特徴）によって得られる種々の効果（派生的な効果も含む）を得ることが可能である。また、各構成要素のスペック（構造や、種類、方向、形状、大きさ、長さ、幅、厚さ、高さ、数、配置、位置、材質等）は、適宜に変更して実施することができる。
【符号の説明】
【００４６】
１，１Ａ，１Ｂ，１Ｃ…電磁流量計、４…測定管（管）、４ｂ…内面、４ｃ…両端部、５…フランジ、５ａ…端面、６…ライニング、６ａ…筒状部（第一の部分）、６ｂ…フランジ部（第二の部分）、６ｃ…曲部（第三の部分）、６ｅ…面（内面）、７ａ…流路、１２…出力部、３１…導通検出部、３２…寿命算出部、３３…出力制御部、４０，４０Ａ，４０Ｂ…摩耗検出電極、４０ａ…端部（第一の端部）、６１〜６３…被覆層、１００…管体（結合対象物）、Ｃ…周方向、Ｒ…径方向、Ｓ１…非検出領域、Ｓ２…検出領域、Ｘ…軸方向。
【図１】
2018036173.tif 000003
【図２】
2018036173.tif 000004
【図３】
2018036173.tif 000005
【図４】
2018036173.tif 000006
【図５】
2018036173.tif 000007
【図６】
2018036173.tif 000008
【図７】
2018036173.tif 000009
【図８】
2018036173.tif 000010
【図９】
2018036173.tif 000011
【図１０】
2018036173.tif 000012
【図１１】
2018036173.tif 000013
【図１２】
2018036173.tif 000014